【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
被験者の身体に関する情報を入力する入力手段と、
被験者の生体電気インピーダンスを測定する生体電気インピーダンス測定手段と、
入力手段から入力された身体に関する情報と測定された生体電気インピーダンス値の複数人分のデータを記憶する記憶手段と、
測定された現在の生体電気インピーダンス値と記憶手段に記憶された複数の被験者の生体電気インピーダンス値とを比較することで測定者を判定し、判定された被験者の記憶手段に記憶された身体情報と測定された現在の生体電気インピーダンス値から被験者の身体に関する指標を演算する演算手段とを備える生体測定装置において、
現在の日時を計時する時計手段を備え、前記記憶手段は測定された日時も記憶し、
前記演算手段における測定者の判定は記憶手段に記憶された前回の測定日から、現在の測定日までの経過日数を考慮して複数人の身体に関する情報の中から演算に用いる身体に関する情報を自動的に決定することを特徴とする測定者判定機能を備えた生体測定装置。
【請求項２】
被験者の身体に関する情報を入力する入力手段と、
被験者の体重を測定する体重測定手段と、
被験者の生体電気インピーダンスを測定する生体電気インピーダンス測定手段と、
入力手段から入力された身体に関する情報と測定された体重及び生体電気インピーダンス値の複数人分のデータを記憶する記憶手段と、
測定された現在の体重値及び生体電気インピーダンス値と、記憶手段に記憶された複数の被験者の体重値及び生体電気インピーダンス値とを比較することで測定者を判定し、判定された被験者の記憶手段に記憶された身体情報と測定された現在の体重値及び生体電気インピーダンス値から被験者の身体に関する指標を演算する演算手段とを備える生体測定装置において、
現在の日時を計時する時計手段を備え、前記記憶手段は測定された日時も記憶し、
前記演算手段における測定者の判定は記憶手段に記憶された前回の測定日から、現在の測定日までの経過日数を考慮して複数人の身体に関する情報の中から演算に用いる身体に関する情報を自動的に決定することを特徴とする測定者判定機能を備えた生体測定装置。
【請求項３】
被験者の身体に関する情報を入力する入力手段と、
被験者の生体電気インピーダンスを測定する生体電気インピーダンス測定手段と、
入力手段から入力された身体に関する情報と測定された生体電気インピーダンス値の複数人分のデータを記憶する記憶手段と、
測定された現在の生体電気インピーダンス値と記憶手段に記憶された複数の被験者の生体電気インピーダンス値とを比較することで測定者を判定し、判定された被験者の記憶手段に記憶された身体情報と測定された現在の生体電気インピーダンス値から被験者の身体に関する指標を演算する演算手段とを備える生体測定装置において、
前記記憶手段は、測定された時間帯毎に各被験者の測定値を記憶し、前記演算手段は、現在時刻と同一の時間帯に記憶されている測定値と、現在の測定値とを比較することで測定者の判定を行うことを特徴とする測定者判定機能を備えた生体測定装置。
【請求項４】
被験者の身体に関する情報を入力する入力手段と、
被験者の体重を測定する体重測定手段と、
被験者の生体電気インピーダンスを測定する生体電気インピーダンス測定手段と、
入力手段から入力された身体に関する情報と測定された体重及び生体電気インピーダンス値の複数人分のデータを記憶する記憶手段と、
測定された現在の体重値及び生体電気インピーダンス値と、記憶手段に記憶された複数の被験者の体重値及び生体電気インピーダンス値とを比較することで測定者を判定し、判定された被験者の記憶手段に記憶された身体情報と測定された現在の体重値及び生体電気インピーダンス値から被験者の身体に関する指標を演算する演算手段とを備える生体測定装置において、
前記記憶手段は、測定された時間帯毎に各被験者の測定値を記憶し、前記演算手段は、現在時刻と同一の時間帯に記憶されている測定値と、現在の測定値とを比較することで測定者の判定を行うことを特徴とする測定者判定機能を備えた生体測定装置。
【請求項５】
更に被験者が装置に載ることで体重及び生体電気インピーダンスの測定を開始するスイッチを備える請求項２または４に記載の測定者判定機能を備えた生体測定装置。
【請求項６】
前記演算手段によって演算された結果である被験者の身体に関する指標を表示する表示手段を備え、この表示手段は結果表示と共に演算に用いた記憶手段に記憶されている身体情報も表示する請求項１から４のいずれか１項に記載の測定者判定機能を備えた生体測定装置。
【請求項７】
前記演算手段は、身体に関する指標の表示中に、演算に用いる情報の変更が行われた場合には、選択された情報に基づき身体に関する指標の再演算を行う請求項６に記載の測定者判定機能を備えた生体測定装置。
【請求項８】
前記記憶手段に記憶される被験者の生体電気インピーダンス値及び体重値は、測定が行われる毎に更新される請求項２または４に記載の測定者判定機能を備えた生体測定装置。
【請求項９】
被験者の身体に関する情報を入力する入力手段と、
被験者の生体電気インピーダンスを測定する生体電気インピーダンス測定手段と、
入力手段から入力された身体に関する情報と測定された生体電気インピーダンス値の複数人分のデータを記憶する記憶手段と、
測定された現在の生体電気インピーダンス値と記憶手段に記憶された複数の被験者の生体電気インピーダンス値とを比較することで測定者を判定し、判定された被験者の記憶手段に記憶された身体情報と測定された現在の生体電気インピーダンス値から被験者の身体に関する指標を演算する演算手段とを備える生体測定装置において、
生体電気インピーダンスを測定するための被験者の足裏に接触する電極は複数個からなり、被験者の足裏の長さを測定可能なものであり、
前記記憶手段は、更に足裏の長さのデータを記憶し、
前記演算手段は、測定された足裏の長さと、記憶手段に記憶された足裏の長さとを比較した結果も用いて複数人の身体に関する情報の中から演算に用いる身体に関する情報を自動的に決定することを特徴とする測定者判定機能を備えた生体測定装置。
【請求項１０】
被験者の身体に関する情報を入力する入力手段と、
被験者の体重を測定する体重測定手段と、
被験者の生体電気インピーダンスを測定する生体電気インピーダンス測定手段と、
入力手段から入力された身体に関する情報と測定された体重及び生体電気インピーダンス値の複数人分のデータを記憶する記憶手段と、
測定された現在の体重値及び生体電気インピーダンス値と、記憶手段に記憶された複数の被験者の体重値及び生体電気インピーダンス値とを比較することで測定者を判定し、判定された被験者の記憶手段に記憶された身体情報と測定された現在の体重値及び生体電気インピーダンス値から被験者の身体に関する指標を演算する演算手段とを備える生体測定装置において、
生体電気インピーダンスを測定するための被験者の足裏に接触する電極は複数個からなり、被験者の足裏の長さを測定可能なものであり、
前記記憶手段は、更に足裏の長さのデータを記憶し、
前記演算手段は、測定された足裏の長さと、記憶手段に記憶された足裏の長さとを比較した結果も用いて複数人の身体に関する情報の中から演算に用いる身体に関する情報を自動的に決定することを特徴とする測定者判定機能を備えた生体測定装置。
【手続補正２】
【補正対象書類名】明細書
【補正対象項目名】００２７
【補正方法】変更
【補正の内容】
【００２７】
個人情報の設定が終了すると、体脂肪計１の上面に載るように指示する表示がなされるので（ステップＳ３）、利用者は右足の爪先及び踵が電流供給電極２Ａ及び電圧測定電極３Ａに、電圧左足の爪先及び踵が電流供給電極２Ｂ及び電圧測定電極３Ｂに接触するように体脂肪計１に載る。ここで重量測定回路６は、利用者の体重を測定する（ステップＳ４）。
【手続補正３】
【補正対象書類名】明細書
【補正対象項目名】００２８
【補正方法】変更
【補正の内容】
【００２８】
次いで、生体電気インピーダンスの測定を行う。高周波定電流回路５から供給される交流電流は、電流供給電極２Ａ、２Ｂを介して被験者の体内に供給され、電圧測定電極３Ａ、３Ｂ間の電圧を電圧測定回路５で測定し、演算制御部１０は測定者の生体電気インピーダンス値を算出する（ステップＳ５）。
【手続補正４】
【補正対象書類名】明細書
【補正対象項目名】００２９
【補正方法】変更
【補正の内容】
【００２９】
測定された体重値及び生体電気インピーダンス値と、入力された身長から被験者の体脂肪率を算出する。この体脂肪率の算出に用いる演算式は入力された性別、年齢により異なるもので、演算制御部１０は適した演算式を選択し演算を行う（ステップＳ６）。
【手続補正５】
【補正対象書類名】明細書
【補正対象項目名】００３０
【補正方法】変更
【補正の内容】
【００３０】
算出された体脂肪率及び測定された体重が表示部１２に表示される（ステップＳ７）。
【手続補正６】
【補正対象書類名】明細書
【補正対象項目名】００３１
【補正方法】変更
【補正の内容】
【００３１】
演算制御部１０は入力された性別、年齢、身長のデータと、現在測定された体重値、生体電気インピーダンス値を一測定者のデータとして記憶装置１５の個人データメモリエリアに記憶する（ステップＳ８）。以上で設定モードは終了し、体脂肪計１の電源も自動的にオフとなる。
【手続補正７】
【補正対象書類名】明細書
【補正対象項目名】００５８
【補正方法】変更
【補正の内容】
【００５８】
以上、本発明の一実施例を示したが、測定者の判別方法はここに示したものに限るものではない。例えば、記憶されている体重と生体電気インピーダンス値に各々しきい値を設け、その間に収まっているかにより、判断を行う方法でもよい。